(57)【特許請求の範囲】
【請求項１】
液晶表示部と、該液晶表示部の対向する1対の側面と底面とを囲んだ樹脂ケースと、該樹脂ケースの側面を囲んだ金属ケースとを備えた携帯電話装置であって、
前記樹脂ケースと前記液晶表示部夫々の高さ幅は、前記金属ケースの高さ幅よりも小さく、
前記金属ケースの対向する１対の側面には開口部が形成され、前記樹脂ケースの側面外側には、前記開口部へ嵌め合わせる為の突出部が形成されていることを特徴とする携帯電話装置。
【請求項２】
液晶表示部と、該液晶表示部の少なくとも対向する1対の側面と底面とを囲んだ樹脂ケースと、該樹脂ケースの側面を囲んだ金属ケースとを備えた携帯電話装置であって、
前記樹脂ケースと前記液晶表示部夫々の高さ幅は、前記金属ケースの高さ幅よりも小さく、
前記樹脂ケース上部には、前記液晶表示部が表示面上方方向へと移動することを防ぐ為の突出部が形成されていることを特徴とする携帯電話装置。
【請求項３】
請求項１〜２記載の携帯電話装置であって、前記金属
ケースはプリント基板上に配置され、前記金属ケースと前記プリント
基板に形成されたグランドラインとが電気的に接続されていることを
特徴とする携帯電話装置。
【発明の詳細な説明】
【０００１】
【産業上の利用分野】
本発明は携帯電話装置に関する。
【０００２】
【従来の技術】
近年では、手軽に持ち運べ通話したいときに通話ができる携帯電話装置等の通信装置が数多く販売されている。
【０００３】
図４は、従来の携帯電話装置の表示部近辺における分解斜視図を示している。
【０００４】
筐体内部に配されたプリント基板１００の上面には、図４紙面右側から左側へ順に、相手側からの音声を送出させる為のスピーカ１０１と、表示部１２０のバックライトとしての光源であるＬＥＤ（Ｌｉｇｈｔ  Ｅｍｉｔｔｉｎｇ  Ｄｉｏｄｅ）１０２と、表示部１２０に接続されたＦＰＣ（フレキシブルプリント基板）１３０をプリント基板１００へ接続する為のパターン１０３が設けられている。
【０００５】
前記基板１００上には、例えばＡＢＳ等の樹脂から成るケース１１０が配されている。又、前記ケース１１０のスピーカ側は、ＬＥＤ１０２からの光が表示部１２０へ届くようにする為に開口されている。
【０００６】
前記ケース１１０には、例えば液晶からなる表示部１２０が接着剤等により接着され、前記表示部１２０には、基板１００からの表示情報を示す信号や駆動信号等を表示部１２０へと送出する為のＦＰＣ１３０が設けられている。
【０００７】
前記表示部１２０上には、例えばＡＢＳ等の樹脂からなる第１筐体１４０が配置され、前記第１筐体１４０上部には、両面テープや接着剤等により保護ガラス１５０が接着される。又、保護ガラス１５０周辺の第１筐体１４０裏面側には外部からの衝撃により表示部１２０が破損することを防ぐ為のクッション材１６０が接着されている。
【０００８】
一方、前記基板１００の表示部１２０が配置された面と反対の面には、アンテナ１７０と接続されたチューナ１８０が配置されており、前記チューナ１８０の下方には、例えばＡＢＳ等の樹脂からなる第２筐体１９０が配置されている。
【０００９】
尚、基板１００にケース１１０と表示部１２０を配置する際には、初めに表示部１２０のＦＰＣ１３０を例えば半田付け等により、基板１００上のパターン１０３と接続させ、次にケース１１０を基板１００に固定する。その後、ケース１１０に表示部１２０を固定する。
【００１０】
図５は、図４に示す携帯電話装置の部分断面図である。
【００１１】
図５において、プリント基板１００裏面にはチューナ１８０が配されており、前記プリント基板１００上には、ケース１１０が配され、前記ケース１１０内には、ケース１１０の上部端と表示部１２０の上面とが略同一平面上に位置するように、表示部１２０が配置されている。
【００１２】
これら基板１００や表示部１２０等は、第１筐体１４０と第２筐体１９０内に挟まれるようにして筐体内部に配置される。又、前記第１筐体１４０の表面には例えば両面テープや接着剤等により保護ガラス１５０が固定されている。
【００１３】
【発明が解決しようとする課題】
従来の携帯電話装置では、第１筐体１４０裏面側にクッション材１６０を接着した構造となっているが、ケース１１０の上端と表示部１２０上面とが略同一平面上となるように前記表示部１２０がケース１１０内に配置されると共に表示部１２０上面が保護ガラス１５０裏面と密着した構造となっている。
【００１４】
この為、使用者が誤って、電話装置の表示部と地面が対面するように電話装置を落下させた場合には、表示部１２０が保護ガラス１５０に押圧され破損することがある。
【００１５】
又、使用者が筐体側面を強く持つと、樹脂で形成された筐体側面とケース１１０の側面とが弾性変形し表示部１２０がケース１１０により押し潰される。この為、表示部１２０に画面ムラが生じる。
【００１６】
更に、ＬＥＤ１０２からの光が樹脂で形成されたケース１１０を透過し、第１筐体１４０側面と第２筐体１９０側面との接続部分から光が漏れることや、第１筐体１４０と第２筐体１９０の側面から光が透過することがある。このような光漏れは美的外観上好ましくないものである。
【００１７】
又、樹脂で形成された筐体１４０、１９０やケース１１０を介して外部から表示部１２０に静電気が侵入し表示部１２０に悪影響をもたらす可能性もある。
【００１８】
更に、筐体（例えば、図３の第１筐体１４０）を樹脂ではなくマグネシウム等の金属により射出成形し、落下により筐体が弾性変形することを防ぐことにより、表示部の破損を防ぐことも容易に考えられるが、金属からなる筐体は樹脂筐体よりも射出成形性が悪い上にコストがかかり好ましくない。
【００１９】
【課題を解決するための手段】
請求項１記載の携帯電話装置は、液晶表示部と、該液晶表示部の対向する1対の側面と底面とを囲んだ樹脂ケースと、該樹脂ケースの側面を囲んだ金属ケースとを備えた携帯電話装置であって、前記樹脂ケースと前記液晶表示部夫々の高さ幅は、前記金属ケースの高さ幅よりも小さく、前記金属ケースの対向する１対の側面には開口部が形成され、前記樹脂ケースの側面外側には、前記開口部へ嵌め合わせる為の突出部が形成されていることを特徴とする。
【００２０】
請求項２記載の携帯電話装置は、液晶表示部と、該液晶表示部の少なくとも対向する１対の側面と底面とを囲んだ樹脂ケースと、該樹脂ケースの側面を囲んだ金属ケースとを備えた携帯電話装置であって、前記樹脂ケースと前記液晶表示部夫々の高さ幅は、前記金属ケースの高さ幅よりも小さく、前記樹脂ケース上部には、前記液晶表示部が表示面上方方向へと移動することを防ぐ為の突出部が形成されていることを特徴とする。
【００２１】
請求項３記載の携帯電話装置は、請求項１〜２記載の携帯電話装置であって、前記金属ケースはプリント基板上に配置され、前記金属ケースと前記プリント基板に形成されたグランドラインとが電気的に接続されていることを特徴とする。
【００２５】
【発明の実施の形態】
図１は、本発明を適用してなる携帯電話装置の分解斜視図である。
【００２６】
図１において、本実施例の携帯電話装置は、複数のビス１〜４によりプリント基板２００が固定された例えばＡＢＳ樹脂からなる射出成形の第１筐体２１０と、後述する表示部２５０表面が外部から見えるようにする為の開口部分を有し例えばＡＢＳ樹脂からなる射出形成の第２筐体２２０の２つの筐体を有している。
【００２７】
又、前記プリント基板２００には、キーの押下を検出する為のキースイッチ２０１と、後述する表示部２５０に設けられたＦＰＣ（フレキシブルプリント基板）      ２５５と基板２００とを電気的に接続する為に基板２００上に設けられたコネクタ２０２と、表示部２５０に光を照射する為の後述する光照射用ガラス２６０専用のソケット２０３と、スピーカ２０４と、マイク２０５とが配置されている。
【００２８】
前記プリント基板２００上（図１紙面左方向）には、後述する樹脂ケース２４０を嵌め込める為の例えばマグネシウムからなる金属ケース２３０がビス５〜８で固定されている。又、前記樹脂ケース２４０には液晶表示部２５０が嵌め込まれている。更に、前記液晶表示部２５０上方（図１紙面左方向）には、液晶表示部に光を照射させる為の光照射用ガラス２６０が配置されており、前記光照射用ガラス２６０にはプリント基板２００からの電気信号を前記ガラス２５０に送出する為のコネクタ２６５が接続されている。
【００２９】
以下、これらの部品について図２を用いて詳細に説明する。
【００３０】
図２は、前記金属ケース２３０、樹脂ケース２４０、表示部２５０、光照射用ガラス２６０の分解斜視図である。
【００３１】
基板２００上に配置された金属ケース２３０は、上面と裏面（図２紙面上下方向）が開口された略額縁状の形状となっている。又、基板２００の延在方向へと延びている金属ケース２３０側面には、４つの開口部２３１〜２３４が形成されている。更に、前記金属ケース２３０側面内方底面側には、樹脂ケース２４０が基板２００と接触しないようにする為の突出部２３５が形成されている。
【００３２】
樹脂ケース２４０は、断面がＵの字状で基板２００の長手方向へと延在しており、前記樹脂ケース２４０の高さ幅は金属ケース２３０の高さ幅よりも小さいものとなっている。
【００３３】
又、前記ケース２４０の側面には、前記金属ケース２３０の開口部２３１〜２３４に嵌め合わせる為の突出部２４１〜２４４が形成されており、前記突出部２４１〜２４４が開口部２３１〜２３４へ嵌め合わされ樹脂ケース２４０が金属ケース２３０へと固定されている。
【００３４】
尚、樹脂ケース２４０は樹脂で形成されている為、前記樹脂ケース２４０の弾性力により樹脂ケース２４０の突出部２４１〜２４４には、金属ケース２３０の開口部２３１〜２３４へと嵌め合わそうとするする力が働く。この為、金属ケース２３０から樹脂ケース２４０が外れることは困難である。
【００３５】
更に、前記樹脂ケース２４０の上部（図２紙面上側）には、表示部２５０を樹脂ケース２４０に固定する為の４つの突出部２４５〜２４８が形成されており、表示部２５０は、前記樹脂ケース２４０の底面と前記突出部２４５〜２４８との間へ挿入されている。この為、表示部２５０は、樹脂ケース２４０上方（図２紙面上側）へ動くことができない。
【００３６】
前記表示部２５０上方には光照射用ガラス２６０が配置されており、前記ガラス２６０の一端には導光板２７０が形成されている。又、前記導光板２７０両端裏面側（図２紙面下側）には、図示せぬＬＥＤ２７１、２７２が配置されている。
【００３７】
前記ＬＥＤ２７１、２７２から照射された光は、導光板２７０を通りガラス２６０の存在する方向へと垂直に屈折され、光照射用ガラス２６０全体に照射される。続いて光照射用ガラス２６０全体に照射された光は表示部２５０を照らす。使用者は、光が照射された表示部２５０を見ることにより表示部２５０に表示されている文字を認識することが可能である。
【００３８】
図１に戻り、これらの部品を搭載した基板１００は、例えばＡＢＳ等の樹脂で形成された第１の筐体２１０と第２の筐体２２０内方に配置されている。
【００３９】
又、前記光照射用ガラス２６０と前記第２筐体２２０との間にはクッション材２９０がテープ等で接着されており、前記クッション材２９０は、光照射用ガラス２６０が第２筐体２２０に直に接触することを防ぐと共に埃等が光照射用ガラス２６０と後述する保護ガラス３００との間に入ることを防いでいる。
【００４０】
更に、第２筐体２２０には、前記表示部２５０が外部から見えるようにすると共に傷が付くことを防止する為の保護ガラス３００が例えば両面テープや接着剤等で接着されている。
【００４１】
図３は、図１に示す携帯電話装置の表示部２５０近辺の部分断面図である。
【００４２】
図３において、プリント基板２００裏面側（図３紙面下側）には、チューナ３１０が配されており、一方、前記プリント基板２００上面側（図３紙面上側）には、ビス（図示せず）により基板２００へと固定された金属ケース２３０と、該金属ケースに嵌め込まれた樹脂ケース２４０と、該樹脂ケース２４０に固定された表示部２５０と、該表示部２５０上に配置された光照射用ガラス２６０とが配置されている。
【００４３】
又、前記光照射用ガラス２６０上方には、保護ガラス３００が配置されており、前記保護ガラス３００は、例えば接着力の強力な両面テープや接着材等により第２筐体２２０の開口部分に接着されている。
【００４４】
尚、前記金属ケース２３０と樹脂ケース２４０との間、前記樹脂ケース２４０と表示部２５０との間、前記表示部２５０と前記光照射用ガラス２６０との間、前記光照射用ガラス２６０と保護ガラス３００との間には、夫々僅かな空間が生じている。
【００４５】
このような空間は、使用者が携帯電話装置を誤って落下させた際に、外部からの力が光照射用ガラス２６０と表示部２５０に直接伝わらないようにする為である。
【００４６】
以上説明したように、本実施例の携帯電話装置は、例えばマグネシウム等の金属からなる金属ケース２３０に表示部２５０が固定された樹脂ケース２４０を嵌め込ませ、しかも前記金属ケース２３０の上部開口面（図２紙面上側の面）から前記表示部２５０が突出しないように前記表示部２５０が前記金属ケース２３０に配置されている。
【００４７】
又、前記表示部２５０と前記光照射用ガラス２６０との間には、樹脂ケース２４０の突出部２４５〜２４８により隙間が形成されている。
【００４８】
この為、使用者が誤って、携帯電話装置の表示部２５０と地面が対面するように通信装置を落下させ、筐体外部からの力が保護ガラス３００に加わった場合でも、保護ガラス３００から表示部２５０には外部からの力が伝わりにくく、前記表示部２５０が破損することは困難である。
【００４９】
更に、側面の高さの幅が金属ケース２３０よりも小さい樹脂ケース２４０が、樹脂ケース２４０に形成された突出部２４１〜２４４と金属ケース２３０の開口部２３１〜２３４とが嵌め合わされている状態で金属ケース２３０内に収められている。
【００５０】
この為、使用者が誤って、携帯電話装置の表示部２５０と地面が対面するように通信装置を落下させ、筐体外部からの更に強い力が保護ガラス３００を介して光照射用ガラス２６０に伝わり樹脂ケース２４０を押圧すると、前記樹脂ケース２４０は、該樹脂ケース２４０の突出部２４１〜２４４が金属ケース２３０の開口部分２３１〜２３４と嵌め合わさった状態で下方（図２紙面下側）へと移動し金属ケース２３０の突出部２３５で停止する。この為、樹脂ケース２４０を金属ケース２３０の突出部２３５まで移動させる程の力が外部から保護ガラス３００に加わっても表示部２５０を破損することがない。
【００５１】
その上、液晶表示部２５０は金属で形成された金属ケース２３０内に配置されている為、使用者が筐体側面を強い力で持った際でも、液晶表示部２５０が金属ケース２３０により押し潰され表示ムラを生じることがない。
【００５２】
又、導光板２７０は金属ケース２３０内方に配置される為、バックライト用のＬＥＤ２７１、２７２（図２参照）からの光が金属ケース２３０を透過することがなく、第１筐体２１０と第２筐体２２０との接合面からの光漏れや筐体側面からの光の透過が生じることがない。
【００５３】
その上、前記金属ケース２３０を、図１に示す様に導電性のワイヤ３１０を介してプリント基板２００上に形成されたグラウンドラインと電気的に接続することにより、前記表示部２５０が静電気により破損されることを防ぐことができる。
【００５４】
尚、本実施例では金属ケース２３０にアルミニウム制の金属を用いたが、比強度の高く光を透過することのない金属材料であればこれに限定されない。
【００５５】
又、本実施例では携帯電話装置を例に説明したが、コードレス電話装置の子機等他の通信装置等にも本発明を適用しても良く、２つ折りタイプの携帯電話装置に適用することもできる。
【００５６】
【発明の効果】
本発明の携帯電話装置は、落下時における表示部の破損を防ぐことが可能である。
【図面の簡単な説明】
【図１】本発明を適用してなる実施例装置の分解斜視図である。
【図２】本実施例装置の部分分解斜視図である。
【図３】本実施例装置の部分断面図である。
【図４】従来装置の部分分解斜視図である。
【図５】従来装置の部分断面図である。
【符号の説明】
２１０  第１筐体
２２０  第２筐体
２３０  金属ケース
２４０  樹脂ケース
２５０  表示部
２６０  光照射ガラス
３００  保護ガラス
【図１】
0003717763.tif 000002
【図２】
0003717763.tif 000003
【図３】
0003717763.tif 000004
【図４】
0003717763.tif 000005
【図５】
0003717763.tif 000006